(57)【特許請求の範囲】
【請求項１】
少なくとも１つの矩形の収容空間及び、少なくとも１つの該収容空間と連通する配置開口を備える、箱本体と、
前記収容空間の４つの隅角にそれぞれ取り付けられると共に、２枚が互いに９０度で連接する板体、及び、該２枚の板体の間に、開口が収容空間に対応する摺動凹部を備え、また、該摺動凹部の断面形状は、２枚の板体の外側辺がなす内角の二等分線を基準線として対称である、レールと、
前記箱本体の収容空間に摺動可能に配置され、それぞれの両側の上縁及び下縁に少なくとも１つの連結部材が取り付けられ、該連結部材が摺動可能にレールに取り付けられると共に、前記摺動凹部と対応する摺動バーを備える、少なくとも１つの引き出しと、を有し、
前記レールにおける２つの板体が互いに接するコーナーの外側に、溝部が形成され、
前記摺動凹部が互いに対称である２つの凹みを備えると共に、前記摺動バーが互いに対称である２本の凸柱を備え、
前記連結部材が、引き出しに貼り付けるための結合板を備えると共に、該結合板の側縁に斜めに延出部が延設され、前記摺動バーが該延出部の端縁に連接されることを特徴とする引き出しの配置が自在な物入れ。
【請求項２】
前記連結部材が引き出しと一体に成形されることを特徴とする請求項１に記載の引き出しの配置が自在な物入れ。
【請求項３】
前記連結部材が、引き出しに貼り付けるための結合板を備えると共に、前記摺動バーが結合板の側縁に連接されることを特徴とする請求項１に記載の引き出しの配置が自在な物入れ。
【請求項４】
前記箱本体の壁の内面に、少なくとも１対のダブルレールが設置され、該各ダブルレールは、板体及び、該板体の中間に垂直に連接する間隔板体を備え、該間隔板体の両側にそれぞれ摺動凹部が凹設され、該摺動凹部の断面形状は、２枚の板体の外側辺がなす内角の二等分線を基準線として対称となることを特徴とする請求項１乃至３の何れか１項に記載の引き出しの配置が自在な物入れ。
【請求項５】
前記引き出しの両側における上縁及び下縁にそれぞれ、１対の前記連結部材が取り付けられることを特徴とする請求項４に記載の引き出しの配置が自在な物入れ。
【請求項６】
前記箱本体に、少なくとも２つの配置開口が形成され、該配置開口が互いに９０度を隔てて異なる方向に向かい、
前記収容空間における４つの隅角と対応する箇所にそれぞれレールが２つの異なる方向に沿って排列するように取り付けられ、該レールは、互いが干渉することを避けるために、互いに交差した箇所に間隔をおいて連続的に設置されることを特徴とする請求項１乃至４の何れか１項に記載の引き出しの配置が自在な物入れ。
【発明の詳細な説明】
【技術分野】
【０００１】
本発明は、テーブルや、棚などの家具などに組み立てられる物入れであり、特に引き出しを自由に配置することができる引き出しの配置が自在な物入れに関するものである。
【背景技術】
【０００２】
テーブルや、収納ケース、収納ラック、タンス、食器棚などの家具に引き出しを取り付けて引き出し付きの物入れとし、その物入れに衣類や小物などを収納したり保存したりすることができる。
既存のテーブルや、様々な棚、チェストなどの家具は、引き出しを所定の配置方法及び配置方向で装着することから、使用に応じて、引き出しの配置位置や、配置数量、引き出し方向を自由に変更することができなく、また、チェストを自由に直立方向または横方向に配置することができないため、それぞれの使用者の要求を満たすことができないと共に、それぞれの置き場所に使用することができない。
【発明の概要】
【発明が解決しようとする課題】
【０００３】
既存の引き出し付き物入れにおける、引き出しが所定の配置方法で装着され、それぞれの使用者の需要に応じて自由に変換することができない問題を解決するために、本発明の引き出しの配置が自在な物入れを開発した。それによれば、チェストの内部空間における４つの隅角にそれぞれ、レール部材が特定の配置方向で取り付けられる制限はないので、引き出しの配置方向や配置数量に制限されずに物入れを自由に配置することができるので、実用性に優れている。
【課題を解決するための手段】
【０００４】
本発明に係る引き出しの配置が自在な物入れは、
少なくとも１つの矩形の収容空間及び、少なくとも１つの該収容空間と連通する配置開口を備える、箱本体と、
前記収容空間の４つの隅角にそれぞれ取り付けられると共に、２枚が互いに９０度で連接する板体、及び、該２枚の板体の間に、開口が収容空間に対応する摺動凹部を備え、また、該摺動凹部の断面形状は、２枚の板体の外側辺がなす内角の二等分線を基準線として対称である、レールと、
前記箱本体の収容空間に摺動可能に配置され、それぞれの両側の上縁及び下縁に少なくとも１つの連結部材が取り付けられ、該連結部材が摺動可能にレールに取り付けられると共に、前記摺動凹部と対応する摺動バーを備える、少なくとも１つの引き出しと、を有するものである。
【０００５】
かかる引き出しの配置が自在な物入れにおいて、前記レールにおける２つの板体が互いに接するコーナーの外側に、溝部が形成されることが好ましい。
【０００６】
かかる引き出しの配置が自在な物入れにおいて、前記摺動凹部が互いに対称である２つの凹みを備えると共に、前記摺動バーが互いに対称である２本の凸柱を備えることが好ましい。
【０００７】
かかる引き出しの配置が自在な物入れにおいて、前記連結部材が引き出しと一体に成形されることが好ましい。
【０００８】
かかる引き出しの配置が自在な物入れにおいて、前記連結部材が、引き出しに貼り付けるための結合板を備えると共に、前記摺動バーが結合板の側縁に連接されることが好ましい。
【０００９】
かかる引き出しの配置が自在な物入れにおいて、
前記連結部材が、引き出しに貼り付けるための結合板を備えると共に、該結合板の側縁に斜めに延出部が延設され、前記摺動バーが該延出部の端縁に連接されることが好ましい。
【００１０】
かかる引き出しの配置が自在な物入れにおいて、
前記箱本体の壁の内面に、少なくとも１対のダブルレールが設置され、該各ダブルレールは、板体及び、該板体の中間に垂直に連接する間隔板体を備え、該間隔板体の両側にそれぞれ摺動凹部が凹設され、該摺動凹部の断面形状は、２枚の板体の外側辺がなす内角の二等分線を基準線として対称となることが好ましい。
【００１１】
かかる引き出しの配置が自在な物入れにおいて、前記引き出しの両側における上縁及び下縁にそれぞれ、１対の前記連結部材が取り付けられることが好ましい。
【００１２】
かかる引き出しの配置が自在な物入れにおいて、
前記箱本体に、少なくとも２つの配置開口が形成され、該配置開口が互いに９０度を隔てて異なる方向に向かい、
前記収容空間における４つの隅角と対応する箇所にそれぞれレールが２つの異なる方向に沿って排列するように取り付けられ、該レールは、互いが干渉することを避けるために、互いに交差した箇所に間隔をおいて連続的に設置されることが好ましい。
【発明の効果】
【００１３】
本発明に係る引き出しの配置が自在な物入れは、以下のメリットを有する。
箱本体の収容空間の４つの隅角にそれぞれ、Ｌ字形断面のレールが取り付けられ、該レール摺動凹部の断面形状は、２枚の板体の外側辺がなす内角の二等分線を基準線として対称であることから、箱本体を縦方向に配置しても横方向に配置してもよく、引き出しの収容空間における配置方向に制限はないことから、実用性に優れている。
【００１４】
箱本体の収容空間の４つの隅角にそれぞれレールが取り付けられることから、収容空間にサイズの合う１つまたは２つの引き出しを使用者が自由に配置することができ、引き出しの配置数量に制限はない。さらに、収容空間の壁の内面に１つ以上のダブルレールを取り付ければ、引き出しのサイズ及び数量に制限されずに、引き出しを自由に配置することができる。
【００１５】
本発明の箱本体の異なる面に、収容空間と連通する配置開口が形成され、該配置開口の４つの隅角に対応する箇所にそれぞれレールが取り付けられ、該レールが互いに干渉する問題を避けることから、使用者の需要によって引き出しの配置位置、配置数量、引出し方向に制限はなく、物入れの引き出しを自由に配置できるので、実用性に優れている。
【図面の簡単な説明】
【００１６】
【図１】本発明の第一実施例の分解斜視図である。
【図２】本発明の第一実施例のレールの正面図である。
【図３】本発明の第一実施例の組立状態を示す断面図である。
【図４】本発明の第二実施例の分解斜視図である。
【図５】本発明の第二実施例の組立状態を示す断面図である。
【図６】本発明の第三実施例の分解斜視図である。
【図７】本発明の第三実施例の組立状態を示す断面図である。
【図８】本発明の第四実施例において、物入れを直立方向に配置した状態を示す斜視図である。
【図９】本発明の第四実施例の部分分解斜視図である。
【図１０】本発明の第四実施例の組立状態を示す部分拡大断面図である。
【図１１】本発明の第四実施例の部分拡大断面説明図である。
【図１２】本発明の第四実施例において、物入れを横方向に配置した状態を示す正面図である。
【図１３】本発明の第五実施例の斜視図である。
【図１４】本発明の第五実施例の分解斜視図である。
【図１５】本発明の第一実施例において、引き出しの配置を変更した状態を示す斜視図である。
【発明を実施するための形態】
【００１７】
以下、添付図面を参照して本発明の適切な実施の形態を詳細に説明する。
【００１８】
本発明に係る、引き出しの配置が自在な物入れは、独立式の物入れとして使用してもよく、また、テーブルや、収納ケース、タンスなどの家具の一部として使用してもよく、つまり、入れ物に引き出しを自由に配置できれば、本発明を如何なるタイプの入れ物で限定するものではない。
【００１９】
図１乃至図３に示すように、本発明に係る、引き出しの配置が自在な物入れの第一実施例は、箱本体１０と、該箱本体１０に摺動可能に配置される引き出し２０と、該箱本体１０にそれぞれ取り付けられる４つのレール３０と、該引き出し２０に設置される１対の連結部材４０とを有する。
【００２０】
そのうち、箱本体１０は、矩形の収容空間１１及び、該収容空間１１と連通する配置開口１２を備え、木材、プラスチック、金属などの材料で製造することができ、収納機能を備えれば如何なる材料からなってもよい。尚、本実施例において、配置開口１２は正方形である。
【００２１】
前記引き出し２０は、箱本体１０の収容空間１１に摺動可能に配置され、平行状態で一定の間隔で立設される２枚の側板２１と、該２枚の側板２１の前端を連接すると共に、形状及びサイズが配置開口１２よりやや大きい前板２２と、該２枚の側板２１の後端を連接する後板２３と、前記引き出し２０の底部に取り付けられる底板２４を備える。尚、この構成によれば、引き出し２０の内部に収納空間２５が形成され、前記前板２２に取っ手や、凹縁部、穴などの引き部２２１を有してもよい。
【００２２】
前記４つのレール３０は、断面Ｌ字形を呈し、それぞれが収容空間１１の４つの隅角に対応するように取り付けられ、アルミ素材を押出して製作されてもよく、アルミダイカストにより製作されてもよく、プラスチック射出成型により製作されてもよい。また、前記各レール３０は、互いに９０度で連接する２枚の板体３１と、該２枚の板体３１の間に、収容空間１１に面するように形成される摺動凹部３２を備える。図２に示すように、前記摺動凹部３２の断面形状は、該２枚の板体３１の外側辺がなす内角の二等分線Ｂを基準線として対称であり、例えば、Ｃ字形や、二等辺三角形、等脚台形、凸字形などの対称形状である。尚、本実施例においては、その摺動凹部３２に、対称である２つの凹み３２１が形成されると共に、組み立てを簡単にし、材料を節約するために、その２つの板体３１が互いに接するコーナーの外側に溝部３３が凹設される。
【００２３】
前記２つの連結部材４０は、互いに対称となるように、引き出し２０の２つの側板２１の外側下縁に設置される。尚、本実施例においては、連結部材４０がそれぞれ、対応するように側板２１に一体に成形され、形状及びサイズが摺動凹部３２と対応する摺動バー４１を備え、該摺動バー４１はそれぞれ、凹み３２１と対応する２本の凸柱４１１を含む。
【００２４】
図１乃至図３に示すように、前記箱本体１０の収容空間１１の４つの隅角にそれぞれ、断面Ｌ字形のレール３０が取り付けられ、該レール３０の断面形状は、２枚の板体３１の外側辺がなす内角の二等分線Ｂを基準線として対称であることから、箱本体１０を直立方向に配置してもよく、９０度に回転して横方向に配置してもよい。つまり、本発明に係る引き出しの配置が自在な物入れは、特定の配置方向で配置する制限はなく、箱本体１０を如何なる方向に回転させて配置しても、引き出し２０は、上部に開口を有する状態で、箱本体１０の収容空間１１に摺動可能に装着される。故に、この構成によれば、物入れの引き出しを自由に配置できるので、実用性に優れている。
【００２５】
図４及び図５に示すように、本発明の第二実施例は、２つの引き出し２０Ａ、２０Ｂを有する点において第一実施例と異なる。
そのうち、下方に位置する引き出し２０Ａの高さは、第一実施例の引き出し２０の高さの３分の２であり、該引き出し２０Ａは、連結部材４０により摺動可能に箱本体１０に装着され、上方に位置する引き出し２０Ｂの高さは、第一実施例の引き出し２０の高さの３分の１であり、該引き出し２０Ｂの２つの側板２１の外側上縁に、１対の連結部材４０が設置され、該各連結部材４０は、凹み３２１に対応する摺動バー４１を含むので、該引き出し２０Ｂは、連結部材４０により摺動可能に箱本体１０に収容される。
【００２６】
図１乃至図５に示すように、収容空間１１に、１つまたは２つの引き出し２０、引き出し２０Ａ、２０Ｂを自由に配置することが可能であり、引き出しの配置数量や配置方向に制限はない。
【００２７】
図６及び図７に示すように、本発明の第三実施例は、１対の着脱可能な連結部材４０Ａを有する点において第一実施例と異なり、その各連結部材４０Ａは、アルミ素材を押出して製作されてもよく、アルミダイカストにより製作されてもよく、プラスチック射出成型により製作されてもよい。また、前記各連結部材４０Ａは、引き出し２０の側面に貼り付けるための結合板４２及び、該結合板４２の側縁に連接される摺動バー４１を備え、該結合板４２における引き出し２０側に貼り付け部４２１が凹設され、該結合板４２は、貼り付け部４２１を介して引き出し２０に粘着され、或いは複数のネジ４３により螺合される。前記摺動バー４１は、凹み３２１に対応する２本の凸柱４１１を含み、該凸柱４１１の端縁に緩やかな弧状の案内縁４１２が形成されるので、前記引き出し２０を案内縁４１２を介して摺動可能に箱本体１０に収容できる。
【００２８】
図８及び図１２に示すように、本発明に係る引き出しの配置が自在な物入れの第四実施例は、箱本体１０Ａと、それぞれが摺動可能に該箱本体１０Ａに装着される複数の引き出し２０、２０Ｃ、２０Ｄ、２０Ｅと、それぞれが該箱本体１０Ａに取り付けられる複数レール３０Ａ及びダブルレール３０Ｂと、それぞれが引き出し２０、２０Ｃ、２０Ｄ、２０Ｅに取り付けられる複数の連結部材４０とを有する。
【００２９】
図８及び図９に示すように、前記箱本体１０Ａは、長尺の矩形体であり、それぞれが配置開口１２と連通する２つの正方形の収容空間１１を含み、そのうちの１つの収容空間１１に、最大サイズの引き出し２０が配置され、もう１つの収容空間１１に、それぞれサイズの異なる４つの２０Ｃ、２０Ｄ、２０Ｅが配置される。図９乃至図１１に示すように、本実施例においては、収容空間１１が９マスのような９つの区域に区画され、該収容空間１１の４つの隅角にそれぞれＬ字形断面のレール３０Ａが取り付けられ、該収容空間１１における各壁を３等分した箇所にそれぞれダブルレール３０Ｂが取り付けられる。そのうちレール３０Ａは、板体３１Ａの外側縁に、結合しやすくするための位置決め部が延設される点において第一実施例と異なり、前記ダブルレール３０Ｂは、２つのＬ字形断面のレール３０を一体に形成したものであり、板体３１及び、該板体３１の中間に垂直に連接する間隔板体３１Ｂを備え、該間隔板体３１Ｂの両側にそれぞれ摺動凹部３２が凹設され、該摺動凹部３２の断面形状は、角の二等分線Ｂを軸に対称であり、また、材料を節約するために、間隔板体３１Ｂが２つの板体３１と連接する箇所の外側に溝部３３が凹設される。
【００３０】
本実施例においては、前記収容空間１１の９つの区域に、サイズが１つの区域のサイズである２つの引き出し２０Ｃと、サイズが４つの区域のサイズである１つの引き出し２０Ｄと、サイズが３つの区域のサイズである１つの引き出し２０Ｅを配置して使用し、そのうち、引き出し２０Ｃ、２０Ｄを自由に配置するために、本発明の矩形である引き出し２０Ｃ、２０Ｄにおける、２つの側板２１の外側の上縁及び下縁にそれぞれ連結部材４０Ｂが取り付けられ、更に、その細長状の引き出し２０Ｅは、２つの側板２１の外側における下縁に連結部材４０Ｂが取り付けられ、該連結部材４０Ｂは、引き出し２０、２０Ｃ、２０Ｄ、２０Ｅに貼り付けるための結合板４２と、該結合板４２の側縁に４５度に斜めに延出する延出部４２２と、該延出部４２２の端縁に連接する摺動バー４１を備え、該摺動バー４１はそれぞれ、摺動凹部３２の凹み３２１に対応する２本の凸柱４１１を備え、この構成によれば、前記引き出し２０、２０Ｃ、２０Ｄ、２０Ｅの結合板４２が、連結部材４０による箱本体１０Ａにあるレール３０Ａ及びダブルレール３０Ｂに組み合わされる。
【００３１】
図８、図９、図１２に示すように、本発明の箱本体１０Ａの収容空間１１に、該箱本体１０Ａの内部が９マスとなるように、複数のレール３０Ａ及び複数のダブルレール３０Ｂが取り付けられ、それらのレール３０Ａ及びダブルレール３０Ｂの摺動凹部３２の断面形状は、２枚の板体３１の外側辺がなす内角の二等分線Ｂを基準線として対称であることから、物入れを直立方向にしても、または横方向に配置しても構わなく、引き出し２０、２０Ｃ、２０Ｄ、２０Ｅが摺動可能に箱本体１０の収容空間１１に配置されればよい。また、本実施例においては、それらの引き出し２０、２０Ｃ、２０Ｄ、２０Ｅを、自由に配置することができることから、引き出しの配置方向、サイズ、配置数量に制限することはなくて自由に選択することが可能であり、実際の需要または好みによって自由自在に配置することが出来る。
【００３２】
図１３乃至図１５に示すように、本発明の第五実施例における物入れは、箱本体１０Ｂと、該箱本体１０Ｂにそれぞれ摺動可能に位置する複数の引き出し２０Ｃ、２０Ｆと、該箱本体１０Ｂにそれぞれ取り付けられる複数のレール３０及びダブルレール３０Ｂと、該引き出し２０Ｃ、２０Ｆにそれぞれ取り付けられる連結部材４０とを有し、そのうち、箱本体１０Ｂは、４つの隅角にそれぞれ対称的に配置される４本の支持柱１３、及び該４本の支持柱１３の上端及び底端にそれぞれ結合される２枚のプレート１４からなり、立方形状の収容空間１１、及びそれぞれが該収容空間１１と連通しながら互いに９０度を隔てて異なる方向に向かうように形成される配置開口１２を備える。
【００３３】
本実施例においては、収容空間１１を４マスのように４つの区域に区画され、該収容空間１１における４つの隅角と対応する箇所にそれぞれレール３０Ａが取り付けられ、それらのレール３０Ａはそれぞれ２つの異なる方向に沿って排列され、該レール３０Ａの断面形状は略Ｌ字形を呈する。また、上側のプレート１４における内面の中間位置にダブルレール３０Ｂが取り付けられ、下側のプレート１４における内面の中間位置にダブルレール３０Ｂが取り付けられ、前記レール３０Ａ及びダブルレール３０Ｂは、互いに交差した箇所に間隔をおいて連続的に設置され、この構成によれば、互いが干渉する問題を避けることができる。本発明はさらに、前記レール３０Ａ及びダブルレール３０Ｂが連続的に設置された箇所に、レール３０Ａ及びダブルレール３０Ｂ共に対応可能な継ぎ手が取り付けられることにより、レール３０Ａ及びダブルレール３０Ｂをスムーズ且つ連続的に設置されることが出来る。
本実施例においては、前記収容空間１１の４つの区域に、１つの区域のサイズである２つの引き出し２０Ｃと、２つの区域のサイズである１つの矩形の引き出し２０Ｆを配置して使用する。そのうち、前記各引き出し２０Ｃ、２０Ｆは、２つの側板２１の外側における上縁及び下縁にそれぞれ１対の連結部材４０Ｂが取り付けられる。
【００３４】
図１３乃至図１５に示すように、本発明に係る引き出しの配置が自在な物入れは、複数のレール３０Ａ及びダブルレール３０Ｂが異なる方向に沿って排列されると共に、交替に取り付けられるため、引き出し２０Ｃ、２０Ｆを自由に配置することができ、引き出しの配置位置、配置数量、引き出し方向に制限はなく、自由に選択することができるので、実際の需要または好みによって自由に配置することができる。
【符号の説明】
【００３５】
１０、１０Ａ、１０Ｂ        箱本体
１１        収容空間
１２        配置開口
１３        支持柱
１４        プレート
２０、２０Ａ、２０Ｂ、２０Ｃ、２０Ｄ、２０Ｅ、２０Ｆ    引き出し
２１        側板
２２        前板
２２１        引き部
２３        後板
２４        底板
２５        収納空間
３０、３０Ａ        レール
３０Ｂ        ダブルレール
３１、３１Ａ        板体
３１Ｂ        間隔板体
３２        摺動凹部
３２１        凹み
３３        溝部
４０、４０Ａ、４０Ｂ        連結部材
４１        摺動バー
４１１        凸柱
４１２        案内縁
４２        結合板
４２１        貼り付け部
４２２        延出部
４３        ネジ
Ｂ        角の二等分線
【図１】
0006392974.tif 000002
【図２】
0006392974.tif 000003
【図３】
0006392974.tif 000004
【図４】
0006392974.tif 000005
【図５】
0006392974.tif 000006
【図６】
0006392974.tif 000007
【図７】
0006392974.tif 000008
【図８】
0006392974.tif 000009
【図９】
0006392974.tif 000010
【図１０】
0006392974.tif 000011
【図１１】
0006392974.tif 000012
【図１２】
0006392974.tif 000013
【図１３】
0006392974.tif 000014
【図１４】
0006392974.tif 000015
【図１５】
0006392974.tif 000016